(57)【要約】【課題】開閉式の電子装置において、小型化を図ること。装置の開閉に対する耐久性を高めること。【解決手段】電子装置１は、第一の筐体２、第二の筐体３及びケーブル４を備えている。第一の筐体２は、第一の回路基板５を有する。第二の筐体３は、第二の回路基板６を有する。第二の筐体３は、第一の筐体２とヒンジ７を介して開閉可能に接続されている。ケーブル４は、第一の回路基板５と第二の回路基板６とを接続する。ヒンジ７は、第一のヒンジケース８、第二のヒンジケース９及び筒体１０を備えている。第一のヒンジケース８は、第一の筐体２に固定される。第二のヒンジケース９は、第二の筐体３に固定される。筒体１０は、第一のヒンジケース８と第二のヒンジケース９とを回転可能に接続する。筒体１０は、磁性鋼材を含み、ケーブル４が貫通する孔を有する。【選択図】図１
2013058643.tif 000002
【特許請求の範囲】
【請求項１】
第一の回路基板を有する第一の筐体と、
第二の回路基板を有し、前記第一の筐体とヒンジを介して開閉可能な第二の筐体と、
前記第一の回路基板と前記第二の回路基板とを接続するケーブルと、
を備える電子装置であって、
前記ヒンジは、
前記第一の筐体に固定される第一のヒンジケースと、
前記第二の筐体に固定される第二のヒンジケースと、
前記第一のヒンジケースと前記第二のヒンジケースとを回転可能に接続する筒体と、を備え、
前記筒体は、磁性鋼材を含み、前記ケーブルが貫通する孔を有する
ことを特徴とする電子装置。
【請求項２】
前記筒体は、前記第一のヒンジケースと前記第二のヒンジケースの両方に跨って前記第一のヒンジケース及び前記第二のヒンジケース内に挿入されていることを特徴とする請求項１に記載の電子装置。
【請求項３】
前記筒体は、前記ケーブルを囲む部分に前記磁性鋼材を含むことを特徴とする請求項１または２に記載の電子装置。
【請求項４】
前記筒体は、
前記ケーブルの受け入れ窓として一部が開放された本体と、
前記本体の、前記受け入れ窓によって開放された端部を塞ぐ部品とを備え、
前記本体と前記部品とで前記ケーブルを囲む部分に前記磁性鋼材を含む
ことを特徴とする請求項１乃至３のいずれか一つに記載の電子装置。
【請求項５】
前記部品は、
前記第一のヒンジケース内に設けられており、
前記本体が前記第一のヒンジケース内に挿入されることによって、前記本体の、前記受け入れ窓によって開放された端部を塞ぐ
ことを特徴とする請求項４に記載の電子装置。
【請求項６】
第一の筐体に固定される第一のヒンジケースと、前記第一の筐体とヒンジを介して開閉可能な第二の筐体に固定される第二のヒンジケースとを回転可能に接続するとともに、磁性鋼材を含み、前記第一の筐体内の第一の回路基板と前記第二の筐体内の第二の回路基板とを接続するケーブルが貫通する孔を有する
ことを特徴とする筒体。
【発明の詳細な説明】
【技術分野】
【０００１】
この発明は、電子装置及び筒体に関する。
【背景技術】
【０００２】
従来、伝送媒体のノイズを低減させる装置として、フェライトコアに同軸ケーブルを挿入することによって、電磁干渉によるノイズを低減させる装置がある（例えば、特許文献１参照）。
【先行技術文献】
【特許文献】
【０００３】
【特許文献１】特開平１０−１１６６３８号公報
【発明の概要】
【発明が解決しようとする課題】
【０００４】
しかしながら、ヒンジを介して開閉可能な第一の筐体と第二の筐体とにそれぞれ設けられた第一の回路基板と第二の回路基板とを接続するケーブルをフェライトコアに挿入したのでは、フェライトコアが厚いため、電子装置の小型化が妨げられるという問題点がある。また、フェライトコアは硬くて脆いため、ケーブルの、第一の筐体と第二の筐体との開閉によって伸びたり曲がったりする部分にフェライトコアを装着すると、装置の開閉に対する耐久性が低下するという問題点がある。
【０００５】
本発明は上記問題点に鑑み創出されたもので、第一の目的は、小型化を図ることができる電子装置及び筒体を提供することである。また、第二の目的は、装置の開閉に対する耐久性を高めることができる電子装置及び筒体を提供することである。
【課題を解決するための手段】
【０００６】
電子装置は、第一の筐体、第二の筐体及びケーブルを備えている。第一の筐体は、第一の回路基板を有する。第二の筐体は、第二の回路基板を有する。第二の筐体は、第一の筐体とヒンジを介して開閉可能に接続されている。ケーブルは、第一の回路基板と第二の回路基板とを接続する。ヒンジは、第一のヒンジケース、第二のヒンジケース及び筒体を備えている。第一のヒンジケースは、第一の筐体に固定される。第二のヒンジケースは、第二の筐体に固定される。筒体は、第一のヒンジケースと第二のヒンジケースとを回転可能に接続する。筒体は、磁性鋼材を含み、ケーブルが貫通する孔を有する。
【発明の効果】
【０００７】
電子装置及び筒体によれば、小型化を図ることができるという効果を奏する。また、装置の開閉に対する耐久性を高めることができるという効果を奏する。
【図面の簡単な説明】
【０００８】
【図１】図１は、実施例１にかかる電子装置を示す全体図である。
【図２】図２は、実施例２にかかる電子装置を示す正面側の斜視図である。
【図３】図３は、実施例２にかかる電子装置を示す背面側の斜視図である。
【図４】図４は、実施例２にかかる電子装置の筐体を開いた状態を示す外観斜視図である。
【図５】図５は、実施例２にかかる電子装置を示す分解斜視図である。
【図６】図６は、実施例２にかかる電子装置のヒンジ部分を示す断面図である。
【図７】図７は、実施例２にかかる電子装置の第一の筒体を示す分解斜視図である。
【図８】図８は、実施例２にかかる電子装置の第一の筒体を示す斜視図である。
【図９】図９は、実施例２にかかる電子装置の第一の筒体を示す断面図である。
【図１０】図１０は、実施例２にかかる電子装置のヒンジ部分の組み立て手順を説明する分解斜視図である。
【図１１】図１１は、実施例２にかかる電子装置のヒンジ部分の組み立て手順を説明する分解斜視図である。
【発明を実施するための形態】
【０００９】
以下に添付図面を参照して、この電子装置及び筒体の好適な実施の形態を詳細に説明する。以下の各実施例の説明においては、同様の構成要素には同一の符号を付して、重複する説明を省略する。
【００１０】
（実施例１）
図１は、実施例１にかかる電子装置を示す全体図である。図１に示すように、電子装置１は、第一の筐体２、第二の筐体３及びケーブル４を備えている。第一の筐体２は、第一の回路基板５を有する。第二の筐体３は、第二の回路基板６を有する。第二の筐体３は、第一の筐体２とヒンジ７を介して開閉可能に接続されている。ケーブル４は、第一の回路基板５と第二の回路基板６とを接続する。
【００１１】
ヒンジ７は、第一のヒンジケース８、第二のヒンジケース９及び筒体１０を備えている。第一のヒンジケース８は、第一の筐体２に固定される。第二のヒンジケース９は、第二の筐体３に固定される。筒体１０は、第一のヒンジケース８と第二のヒンジケース９とを回転可能に接続する。筒体１０は、飽和磁束密度の高い材料、例えば磁性鋼材を含み、ケーブル４が貫通する孔を有する。
【００１２】
実施例１によれば、筒体１０内にケーブル４が通されることによって、筒体１０に含まれる磁性鋼材がフェライトコアと同様の作用を示す。すなわち、磁性鋼材が、ケーブル４に電流が流れることで発生する磁界を吸収して熱に変えるので、ケーブル４から放射される輻射ノイズを低減させることができる。従って、ケーブル４にフェライトコアを装着しないで済むので、電子装置１の小型化を図ることができる。また、ケーブル４の、第一の筐体２と第二の筐体３との開閉によって伸びたり曲がったりする部分にフェライトコアを装着しないで済むので、電子装置１の開閉に対する耐久性を高めることができる。
【００１３】
（実施例２）
・電子装置の説明
図２は、実施例２にかかる電子装置を示す正面側の斜視図である。図３は、実施例２にかかる電子装置を示す背面側の斜視図である。図４は、実施例２にかかる電子装置の筐体を開いた状態を示す外観斜視図である。図２〜図４に示すように、電子装置１の一例として、例えば携帯電話機が挙げられる。図示例の携帯電話機では、正面側の第二の筐体３と背面側の第一の筐体２とが、ヒンジ７により開閉可能に取り付けられている。
【００１４】
第二の筐体３には、例えば表示パネルが設けられていてもよい。第一の筐体２には、例えばキーパッドが設けられていたり、電池が収納されるようになっていてもよい。また、指紋センサユニット１１が第一の筐体２に設けられていてもよい。
【００１５】
図５は、実施例２にかかる電子装置を示す分解斜視図である。図５に示すように、第一の筐体２は、筐体本体１２と、筐体本体１２を塞ぐ蓋体１３とを備えている。第一の回路基板５は、筐体本体１２と蓋体１３との間に収納されている。蓋体１３には、例えばキーパッド部が設けられていてもよい。
【００１６】
図６は、図４において操作キーを有する面と平行にヒンジ部分を切断し、当該切断面を垂直方向から見た断面図である。図５及び図６に示すように、ヒンジ７は、例えば第一のヒンジケース８、第二のヒンジケース９及び第三のヒンジケース１５に３分割されていてもよい。第一のヒンジケース８と第三のヒンジケース１５とは、ヒンジ７において、第一の筐体２の蓋体１３の両端に設けられている。第二のヒンジケース９は、蓋体１３において、第一のヒンジケース８と第三のヒンジケース１５との間の受け部１６に置かれる。
【００１７】
ケーブル４は、第二のヒンジケース９の中央部から第一のヒンジケース８内を通されて、蓋体１３の端に設けられた貫通孔１４を通されて、蓋体１３の下側に引き出され、第一の回路基板５に接続される。なお、説明の便宜上、図６におけるケーブル４は断面ではなく外観で表している。筒体１０は、蓋体１３の側方から第一のヒンジケース８内に通され、第二のヒンジケース９内に至る。これ以降、筒体１０を第一の筒体１０と表記する。さらに、第一のヒンジケース８及び第一の筒体１０は、例えば外観が第三のヒンジケース１５と同様の形状をした外装部品１７によって覆い隠される。
【００１８】
また、蓋体１３の側方から、第三のヒンジケース１５内を通って第二のヒンジケース９内に至る第二の筒体１８が挿入される。なお、説明の便宜上、図６における第二の筒体１８は断面ではなく外観で表している。第一の筒体１０及び第二の筒体１８によって、第二のヒンジケース９が第一のヒンジケース８及び第三のヒンジケース１５に対して回転可能になっている。そして、第二の筐体３は、第二のヒンジケース９に固定される。それによって、第一の筐体２に対して第二の筐体３が開閉可能になっている。
【００１９】
ケーブル４の他端には、例えばコネクタ１９が設けられていてもよい。コネクタ１９は、第二のヒンジケース９から第二の筐体３内に伸び、第二の筐体３内の第二の回路基板６（図５及び図６では現れていない）に接続される。
【００２０】
第二のヒンジケース９内には、回転ヒンジ２０が収納されてもよい。回転ヒンジ２０は、第一の筒体１０及び第二の筒体１８に対して垂直な筒体を有する。回転ヒンジ２０が設けられていることによって、第一の筐体２に対して第二の筐体３を筒体１０，１８の回りに回転させて第一の筐体２に対して開いた状態の第二の筐体３を、さらに筒体１０，１８に対して垂直な軸の回りに回転させることができる。回転ヒンジ２０とケーブル４とは、予め一つの部品として組み立てられて一体化されていてもよい。
【００２１】
・磁性鋼材を含む筒体の説明
図７は、実施例２にかかる電子装置の第一の筒体を示す分解斜視図である。図８は、実施例２にかかる電子装置の第一の筒体を示す斜視図である。図９は、実施例２にかかる電子装置の第一の筒体を示す断面図である。なお、図７〜図９では、第一の筒体１０を見やすくするため、適宜、構成部材等を図示省略している。図８には、図示省略された第一のヒンジケース８及び第二のヒンジケース９内での第一の筒体１０及びケーブル４の状態が示されている。
【００２２】
図７〜図９に示すように、第一の筒体１０は、本体２１及び部品２２を備えている。本体２１は、ケーブル４の受け入れ窓として一部が開放された形状に成型されている。本体２１の、受け入れ窓として開放された端部を部品２２が塞ぐことによって、略円筒状をした第一の筒体１０ができあがる。ケーブル４は、第一の筒体１０の略円筒状の部分を通る。携帯電話機の組み立て時に、ケーブル４は、本体２１の受け入れ窓部分から本体２１内に挿入される。
【００２３】
図７では、部品２２が第一のヒンジケース８の外に描かれているが、実際には、予め第一のヒンジケース８の内周面に固定されている（図１１においても同じ）。部品２２は、本体２１が蓋体１３の側方から第一のヒンジケース８内に挿入されたときに、丁度本体２１の、受け入れ窓によって開放された端部を塞ぐ箇所に固定されている。
【００２４】
本体２１と部品２２との組み合わせでできる略円筒状の部分が、例えば磁性鋼材でできていてもよいし、その略円筒状の部分に磁性鋼材が含まれていてもよい。磁性鋼材の一例として、例えばＳＵＳ４３０ＬやＳＵＳ４１０Ｌなどが挙げられる。
【００２５】
・ヒンジ部分の組み立て手順
図１０及び図１１は、実施例２にかかる電子装置のヒンジ部分の組み立て手順を説明する分解斜視図である。図１０及び図１１に示すように、ヒンジ部分を組み立てる際には、まず、蓋体１３の受け部１６に第二のヒンジケース９を納める。次いで、第二の筒体１８を蓋体１３の側方から挿入する。第二の筒体１８の先端は、第二のヒンジケース９の第一の軸受け部２３内に挿入される。それによって、蓋体１３に第二のヒンジケース９が連結される。
【００２６】
次いで、ケーブル４の先端を、第二のヒンジケース９の中央部から第一のヒンジケース８内を通して、第二のヒンジケース９内に回転ヒンジ２０を納める。次いで、第一のヒンジケース８内を通されたケーブル４の先端を、蓋体１３の端の貫通孔１４を通して蓋体１３の下側に引き出し、図示省略した第一の回路基板５に接続する。
【００２７】
次いで、第一の筒体１０の本体２１を第一のヒンジケース８内に挿入する。本体２１の先端は、第二のヒンジケース９の第二の軸受け部２４内に挿入される。第一のヒンジケース８内では、磁性鋼材でできた、あるいは磁性鋼材を含む本体２１と部品２２とが、ケーブル４を円筒状に囲むことになる。そして、第一のヒンジケース８上に図示省略した外装部品１７を被せる。以上説明したようにして、携帯電話機のヒンジ部分の組立てが終了する。
【００２８】
実施例２によれば、実施例１と同様の効果が得られる。また、ケーブル４から発生するノイズの影響を低減できるので、携帯電話機の通信特性を改善することができる。また、ケーブル４から発生するノイズの影響を低減させるために、ケーブル４にフェライトコアを装着したり、電磁波を吸収または遮蔽するシート状の部品を貼り付ける必要がないので、携帯電話機の組み立て工数が減り、コストダウンを図ることができる。
【００２９】
なお、電子装置１は、携帯電話機に限らず、ヒンジを備えた折りたたみ式のコンピュータ、ＰＤＡ（Ｐｅｒｓｏｎａｌ  Ｄｉｇｉｔａｌ  Ａｓｓｉｓｔａｎｔｓ）などの携帯情報端末、携帯型のゲーム機または種々の測定器などであってもよい。また、電子装置１は、いわゆるスマートフォンと呼ばれる携帯電話機と携帯情報端末としての機能を併せ持つ電子装置であってもよい。
【符号の説明】
【００３０】
１  電子装置
２  第一の筐体
３  第二の筐体
４  ケーブル
５  第一の回路基板
６  第二の回路基板
７  ヒンジ
８  第一のヒンジケース
９  第二のヒンジケース
１０  筒体
２１  本体
２２  部品
【図１】
2013058643.tif 000003
【図２】
2013058643.tif 000004
【図３】
2013058643.tif 000005
【図４】
2013058643.tif 000006
【図５】
2013058643.tif 000007
【図６】
2013058643.tif 000008
【図７】
2013058643.tif 000009
【図８】
2013058643.tif 000010
【図９】
2013058643.tif 000011
【図１０】
2013058643.tif 000012
【図１１】
2013058643.tif 000013